(57)【要約】【課題】映像の入力元を変更しても指示体の位置情報を意図しない出力先に出力させない。【解決手段】位置情報の出力の際、画像信号を入力する第１のインターフェースと、位置情報を出力する第２のインターフェースの対応付けが記憶されていない場合には（Ｓ２０：ＮＯ）、第２のインターフェースの候補が一意に定まるか判定する（Ｓ４０）。一意に定まらない場合には（Ｓ４０：ＮＯ）、出力先確認画像を表示させ（Ｓ５０）、出力先確認画像上で選択された出力先を、管理テーブルＴＢＬに記憶させる（Ｓ６０）。第１のインターフェースと、第２のインターフェースの対応付けが記憶されている場合には（Ｓ２０：ＹＥＳ）、出力先無しが管理テーブルＴＢＬに記憶されているかどうかを判断し（Ｓ８０）、出力先無しではない場合には（Ｓ８０：ＮＯ）、位置情報の送信処理を行う（Ｓ９０）。【選択図】図６
2018004681.tif 000002
【特許請求の範囲】
【請求項１】
複数のインターフェースと、
画像信号に応じた第１の画像を表示面に表示する表示部と、
前記表示面に対する指示体の位置を検出し、前記指示体の位置を示す位置情報を生成する検出部と、
前記複数のインターフェースのうち前記画像信号が入力される第１のインターフェースと、前記複数のインターフェースのうち前記位置情報を出力する第２のインターフェースとの対応付けを記憶可能な記憶部と、
前記第１のインターフェースに入力される前記画像信号に応じた前記第１の画像を前記表示部が表示しており、且つ、前記第１のインターフェースと前記第２のインターフェースとの対応付けが前記記憶部に記憶されている場合に、前記検出部が前記指示体の位置を検出すると、前記第２のインターフェースに前記位置情報を出力させ、
前記第１のインターフェースに入力される前記画像信号に応じた前記第１の画像を前記表示部が表示しており、且つ、前記第１のインターフェースと前記第２のインターフェースとの対応付けが前記記憶部に記憶されていない場合に、前記検出部が前記指示体の位置を検出した後、前記位置情報を出力するインターフェースを特定する処理を実行する制御部と、
を有することを特徴とする表示装置。
【請求項２】
前記制御部は、前記処理において、前記第１のインターフェースに対応した前記第２のインターフェースの候補となるインターフェースを少なくとも選択の対象とする第２の画像を前記表示部に表示させ、候補となるインターフェースのうち一つのインターフェースが選択されると、当該一つのインターフェースを前記第２のインターフェースとして、前記第１のインターフェースと当該第２のインターフェースとの対応付けを前記記憶部に記憶させる、請求項１に記載の表示装置。
【請求項３】
前記制御部は、前記処理において、前記候補となるインターフェースに加えて出力先無しを選択の対象とする前記第２の画像を前記表示部に表示させ、前記出力先無しが選択されると、前記第１のインターフェースと前記出力先無しとの対応付けを前記記憶部に記憶させる、請求項２に記載の表示装置。
【請求項４】
前記制御部は、前記処理において、前記第１のインターフェースに対応する前記第２のインターフェースの候補となるインターフェースが一意に定まる場合、前記第２の画像を表示させることなく、一意に定まるインターフェースを前記第２のインターフェースとし、前記第１のインターフェースと前記第２のインターフェースとの対応付けを前記記憶部に記憶させる、ことを特徴とする請求項２又は３に記載の表示装置。
【請求項５】
前記第１のインターフェースと外部装置とが接続され、前記第１のインターフェースと前記第２のインターフェースとの対応付けが前記記憶部に記憶されている場合に、
前記制御部は、前記第１のインターフェースと前記外部装置とが非接続になると、前記記憶部に記憶された前記第１のインターフェースと前記第２のインターフェースとの対応付けを解除することを特徴とする請求項１乃至３のいずれか一項に記載の表示装置。
【請求項６】
前記第１のインターフェースと外部装置とが接続され、前記第１のインターフェースと前記第２のインターフェースとの対応付けが前記記憶部に記憶されている場合に、
前記制御部は、前記外部装置から前記画像信号が所定時間継続して、前記第１のインターフェースに入力されないと、前記記憶部に記憶された前記第１のインターフェースと前記第２のインターフェースとの対応付けを解除することを特徴とする請求項１乃至３のいずれか一項に記載の表示装置。
【請求項７】
前記第２のインターフェースと外部装置とが接続され、前記第１のインターフェースと前記第２のインターフェースとの対応付けが前記記憶部に記憶されている場合に、
前記制御部は、前記第２のインターフェースと前記外部装置とが非接続になると、前記記憶部に記憶された前記第１のインターフェースと前記第２のインターフェースとの対応付を解除することを特徴とする請求項１乃至３のいずれか一項に記載の表示装置。
【請求項８】
前記制御部は、前記位置情報を出力するモードと、前記位置情報に基づいて前記表示面に描画するモードとを切り換える、
ことを特徴とする請求項１乃至７のうちいずれか一項に記載の表示装置。
【請求項９】
画像信号に応じた第１の画像が表示される表示面における指示体の位置を示す位置情報を取得し、
前記複数のインターフェースのうち前記画像信号が入力される第１のインターフェースと、前記複数のインターフェースのうち前記位置情報を出力する第２のインターフェースとの対応付けを記憶可能であり、
前記第１のインターフェースに入力される前記画像信号に応じた前記第１の画像を前記表示部が表示しており、且つ、前記第１のインターフェースと前記第２のインターフェースとの対応付けが記憶されている場合に、前記指示体の位置を取得した後、前記第２のインターフェースに前記位置情報を出力し、
前記第１のインターフェースに入力される前記画像信号に応じた前記第１の画像を前記表示部が表示しており、且つ、前記第１のインターフェースに対応した前記第２のインターフェースが前記記憶部に記憶されていない場合に、前記指示体の位置を取得した後、前記位置情報を出力するインターフェースを特定する処理を実行する、
ことを特徴とする表示装置の制御方法。
【発明の詳細な説明】
【技術分野】
【０００１】
本発明は、画像を表示する表示装置、及び表示装置の制御方法に関する。
【背景技術】
【０００２】
近年、インタラクティブ機能を備えたプロジェクターが知られている。この種のプロジェクターは、パーソナルコンピューター（以下、ＰＣと称する）と接続して使用され、ＰＣから出力される画像信号に基づく画像をスクリーンに表示すると共に、ペンツールや利用者の指などの指示体による操作を受け付ける。このプロジェクターを会議などで使用する場合、例えば、利用者は資料の画像をスクリーンに表示させ、スクリーンの傍で画像を参照しながら説明することがある。説明中に、他のファイルを開いて新たな画像を表示させたい場合、利用者がＰＣまで戻って操作するのは面倒である。このため、プロジェクターは、指示体をＰＣのポインティングデバイスとして使用する操作モードを有する。この操作モードでは、プロジェクターで指示体が表示面に接触する位置を示す位置情報を検出し、位置情報をプロジェクターからＰＣへ送信する。このようなプロジェクターは、例えば、特許文献１に記載されている。
【先行技術文献】
【特許文献】
【０００３】
【特許文献１】特開２００７−２６５１７１号公報
【発明の概要】
【発明が解決しようとする課題】
【０００４】
ところで、特許文献１に開示されたプロジェクターは、１台のＰＣをプロジェクターに接続し、操作モードで動作させるものである。
しかしながら、従来のプロジェクターは、複数のＰＣを接続することは想定されていないため、プロジェクターで表示する画像信号をあるＰＣから他のＰＣに切り換えた場合に、位置情報の出力先が変更されないといった問題がある。
例えば、プロジェクターが第１のＰＣから出力される画像信号に基づく画像をスクリーンに表示しており、指示体の位置情報をＵＳＢケーブルを介して第１のＰＣに送信している状態を想定する。この状態において、スクリーンに表示する画像の入力元を、第１のＰＣから第２のＰＣへ切り換えて、指示体を用いてポインティングデバイスの操作を行うと、第２のＰＣを送信元とする画像を表示させながら、第１のＰＣを操作することになる。したがって、ファイルの削除など、意図しない操作が第１のＰＣに対してなされる可能性があった。
【０００５】
本発明は、上述した事情に鑑みてなされたものであり、位置情報の出力先となっている外部装置において、利用者の意図しない操作がなされてしまうことを防ぐ表示装置及び表示装置の制御方法を提供することを解決課題の一つとする。
【課題を解決するための手段】
【０００６】
以上の課題を解決するため、本発明に係る表示装置の一態様は、複数のインターフェースと、画像信号に応じた第１の画像を表示面に表示する表示部と、前記表示面に対する指示体の位置を検出し、前記指示体の位置を示す位置情報を生成する検出部と、前記複数のインターフェースのうち前記画像信号が入力される第１のインターフェースと、前記複数のインターフェースのうち前記位置情報を出力する第２のインターフェースとの対応付けを記憶可能な記憶部と、前記第１のインターフェースに入力される前記画像信号に応じた前記第１の画像を前記表示部が表示しており、且つ、前記第１のインターフェースと前記第２のインターフェースとの対応付けが前記記憶部に記憶されている場合に、前記検出部が前記指示体の位置を検出すると、前記第２のインターフェースに前記位置情報を出力させ、前記第１のインターフェースに入力される前記画像信号に応じた前記第１の画像を前記表示部が表示しており、且つ、前記第１のインターフェースと前記第２のインターフェースとの対応付けが前記記憶部に記憶されていない場合に、前記検出部が前記指示体の位置を検出した後、前記位置情報を出力するインターフェースを特定する処理を実行する制御部と、を有することを特徴とする。
【０００７】
前記態様によれば、制御部は、検出部が指示体の位置を検出すると、第１のインターフェースと第２のインターフェースとの対応付けが記憶部に記憶されている場合には、対応付けられた第２のインターフェースに指示体の位置情報を出力させる。一方、第１のインターフェースと第２のインターフェースとの対応付けが記憶部に記憶されていない場合には、制御部は、検出部が指示体の位置を検出した後、位置情報を出力するインターフェースを特定する処理を行う。このように、位置情報を出力する第２のインターフェースが不定の場合には、位置情報を出力するインターフェースを特定する処理を行うので、指示体の位置情報の出力先となる外部装置において、利用者の意図しない操作がなされてしまうことを防ぐことができる。新たな外部装置が接続され画像信号が表示装置に入力されても、この画像信号に基づく画像を表示しないこともある。この態様によれば、位置情報を出力するインターフェースを特定する処理は、検出部が指示体の位置を検出した後になされるので、利用者が位置情報の出力先を設定する手間を低減することができる。
【０００８】
上述した表示装置の一態様において、前記制御部は、前記処理において、前記第１のインターフェースに対応した前記第２のインターフェースの候補となるインターフェースを少なくとも選択の対象とする第２の画像を前記表示部に表示させ、候補となるインターフェースのうち一つのインターフェースが選択されると、当該一つのインターフェースを前記第２のインターフェースとして、前記第１のインターフェースと当該第２のインターフェースとの対応付けを前記記憶部に記憶させてもよい。この態様によれば、第１のインターフェースに対応した第２のインターフェースの候補となるインターフェースを少なくとも選択の対象とする第２の画像を表示部に表示させるので、利用者が候補となるインターフェースを選択すれば、出力先のインターフェースを特定することができる。
【０００９】
上述した表示装置の一態様において、前記制御部は、前記処理において、前記候補となるインターフェースに加えて出力先無しを選択の対象とする前記第２の画像を前記表示部に表示させ、前記出力先無しが選択されると、前記第１のインターフェースと前記出力先無しとの対応付けを前記記憶部に記憶させてもよい。この態様によれば、出力先無しが選択される場合には、指示体の位置情報が誤って出力されることがなくなり、誤動作が防止される。
【００１０】
上述した表示装置の一態様において、前記制御部は、前記処理において、前記第１のインターフェースに対応する前記第２のインターフェースの候補となるインターフェースが一意に定まる場合、前記第２の画像を表示させることなく、一意に定まるインターフェースを前記第２のインターフェースとし、前記第１のインターフェースと前記第２のインターフェースとの対応付けを前記記憶部に記憶させてもよい。この態様によれば、候補となるインターフェースが一意に定まり、利用者に選択を促す必要性が低い場合に、第１のインターフェースと第２のインターフェースとの対応付けを自動で記憶する。よって、この態様によれば、利用者が位置情報の出力先を設定する煩雑さを解消できる。
ここで、前記第１のインターフェースが前記画像信号の入力と前記位置情報の出力とが可能なインターフェースである場合、前記制御部は、前記処理において、前記第２の画像を表示させることなく、前記画像信号が入力される前記第１のインターフェースと前記位置情報を出力する当該第１のインターフェースとの対応付けを前記記憶部に記憶させることが好ましい。画像信号を入力するインターフェースが、位置情報を出力可能である場合には、他のインターフェースを用いなくても、当該インターフェースで位置情報を出力でるからである。
【００１１】
上述した表示装置の一態様において、前記第１のインターフェースと外部装置とが接続され、前記第１のインターフェースと前記第２のインターフェースとの対応付けが前記記憶部に記憶されている場合に、前記制御部は、前記第１のインターフェースと前記外部装置とが非接続になると、前記記憶部に記憶された前記第１のインターフェースと前記第２のインターフェースとの対応付けを解除してもよい。第１のインターフェースと外部装置とが非接続になると、新たな外部装置が接続される可能性がある。この態様によれば、非接続になると第１のインターフェースと第２のインターフェースとの対応付けが解除されるので、指示体の位置情報が従前の外部装置に誤って出力されることが防止される。
【００１２】
上述した表示装置の一態様において、前記第１のインターフェースと外部装置とが接続され、前記第１のインターフェースと前記第２のインターフェースとの対応付けが前記記憶部に記憶されている場合に、前記制御部は、前記外部装置から前記画像信号が所定時間継続して、前記第１のインターフェースに入力されないと、前記記憶部に記憶された前記第１のインターフェースと前記第２のインターフェースとの対応付けを解除してもよい。外部装置から画像信号が所定時間継続して第１のインターフェースに入力されない場合には、新たな外部装置が接続される可能性がある。この態様によれば、第１のインターフェースと第２のインターフェースとの対応付けが解除されるので、指示体の位置情報が従前の外部装置に誤って出力されることが防止される。
【００１３】
上述した表示装置の一態様において、前記第２のインターフェースと外部装置とが接続され、前記第１のインターフェースと前記第２のインターフェースとの対応付けが前記記憶部に記憶されている場合に、前記制御部は、前記第２のインターフェースと前記外部装置とが非接続になると、前記記憶部に記憶された前記第１のインターフェースと前記第２のインターフェースとの対応付を解除してもよい。第２のインターフェースと外部装置とが非接続になると、位置情報の出力先が変更される可能性がある。この態様によれば、第１のインターフェースと第２のインターフェースとの対応付けが解除されるので、指示体の位置情報が第２のインターフェースに再度接続された外部装置に誤って出力されることが防止される。
【００１４】
上述した表示装置の一態様において、前記制御部は、前記位置情報を出力するモードと、前記位置情報に基づいて前記表示面に描画するモードとを切り換えてもよい。この態様によれば、各モードに応じて適切な処理を行うことが可能となる。
【００１５】
以上の課題を解決するため、本発明に係る表示装置の制御方法の一態様は、画像信号に応じた第１の画像が表示される表示面における指示体の位置を示す位置情報を取得し、前記複数のインターフェースのうち前記画像信号が入力される第１のインターフェースと、前記複数のインターフェースのうち前記位置情報を出力する第２のインターフェースとの対応付けを記憶可能であり、前記第１のインターフェースに入力される前記画像信号に応じた前記第１の画像を前記表示部が表示しており、且つ、前記第１のインターフェースと前記第２のインターフェースとの対応付けが記憶されている場合に、前記指示体の位置を取得した後、前記第２のインターフェースに前記位置情報を出力し、前記第１のインターフェースに入力される前記画像信号に応じた前記第１の画像を前記表示部が表示しており、且つ、前記第１のインターフェースに対応した前記第２のインターフェースが前記記憶部に記憶されていない場合に、前記指示体の位置を取得した後、前記位置情報を出力するインターフェースを特定する処理を実行する、ことを特徴とする。
【００１６】
前記態様によれば、第１のインターフェースと第２のインターフェースとの対応付けが記憶部に記憶されていない場合には、制御部は、検出部が指示体の位置を検出した後、位置情報を出力するインターフェースを特定する処理を行う。このように、位置情報を出力する第２のインターフェースが不定の場合には、位置情報を出力するインターフェースを特定する処理を行うので、指示体の位置情報の出力先となっている外部装置において、利用者の意図しない操作がなされてしまうことを防ぐことができる。
【図面の簡単な説明】
【００１７】
【図１】本発明の実施形態に係るプロジェクションシステムの構成を示す図である。
【図２】プロジェクターの構成を示すブロック図である。
【図３】Ｉ／Ｆ部に含まれるインターフェースの例を示す図である。
【図４】プロジェクターとＰＣと接続形態を示す説明図である。
【図５】管理テーブルの記憶内容の一例を示す図である。
【図６】操作モード時のプロジェクター１０の動作を示すフローチャートである。
【図７】出力先確認画像の一例を示す図である。
【図８】管理テーブルの更新処理の内容を示すフローチャートである。
【図９】プロジェクターとＰＣとの接続例を示すブロック図である。
【図１０】管理テーブルの記憶内容の一例を示す図である。
【図１１】管理テーブルの記憶内容の一例を示す図である。
【図１２】プロジェクターとＰＣとの接続例を示すブロック図である。
【図１３】管理テーブルの記憶内容の一例を示す図である。
【図１４】プロジェクターとＰＣとの接続例を示す図である。
【図１５】管理テーブルの一例を示す図である。
【図１６】プロジェクターとＰＣとの接続例を示す図である。
【図１７】出力先確認画像の一例を示す図である。
【図１８】管理テーブルの一例を示す図である。
【図１９】入力元確認画像の一例を示す図である。
【図２０】入力元の選択がネットワークを介して行われた場合の処理を示すフローチャートである。
【発明を実施するための形態】
【００１８】
以下、この発明の好適な実施の形態を、添付図面等を参照しながら詳細に説明する。ただし、各図において、各部の寸法及び縮尺は、実際のものと適宜に異ならせてある。また、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００１９】
＜１．プロジェクションシステムの構成＞
図１は、本発明を適用した第１実施形態に係るプロジェクションシステム１の構成を示す図である。プロジェクションシステム１は、スクリーンＳＣの前方に設置された表示装置としてのプロジェクター１０と、外部装置としてのＰＣとを備える。図１に示す例では、ＰＣ１０１とＰＣ１０２とがプロジェクター１０に接続された状態を示している。但し、本発明においては、プロジェクター１０に接続されるＰＣの台数は２台に限定されるものではなく、後述するように適宜変更することができる。また、プロジェクター１０は、画像を表示する表示装置の一例であり、本発明の表示装置は、プロジェクター１０に限定されるものではない。
【００２０】
プロジェクター１０は、ＰＣ１０１又はＰＣ１０１等のＰＣから出力される画像信号が入力されて、この画像信号に応じた第１の画像を表示面としてのスクリーンＳＣに表示する。プロジェクター１０は、ＰＣから送信された画像信号に基づく画像（第１の画像）を表示するだけでなく、プロジェクター１０の内部に記憶している画像信号に基づく画像、及び、プロジェクター１０の内部において生成する画像を、スクリーンＳＣに表示することもできる。プロジェクター１０の内部において生成する画像には、指示体９０の位置情報の出力先を選択させる画像（第２の画像）も含まれる。
図１に示す例では、プロジェクター１０は、スクリーンＳＣの前方に設置され、斜め上方に向けて画像を投射している。しかし、プロジェクター１０をスクリーンＳＣの直上に設置して、斜め下方に向けて画像を投射させることも可能である。スクリーンＳＣは壁面に固定された平板に限らず、壁面自体をスクリーンＳＣとして使用することも可能である。
【００２１】
指示体９０は、例えばペン型のデバイスであり、軸部９１と先端ボタン９２とを備えている。利用者は軸部９１を手に持って、先端ボタン９２をスクリーンＳＣ又はスクリーンＳＣ上の画像に押し当てるように使用する。先端ボタン９２は、指示体９０の内部に設けられたスイッチと連動しており、先端ボタン９２が押圧されることにより、スイッチがオンする。指示体９０の内部には、赤外線発光部が設けられており、スイッチがオンすることにより、スイッチがオンしていることを示す信号が赤外線発光部から出力される。赤外線発光部は、例えば赤外ＬＥＤ等の発光素子、発光制御回路、及び電源を備えて構成される。赤外線発光部は、指示体９０の電源がオンになっている状態で、周期的に赤外線を発光する。赤外線発光部は、例えば、ＩｒＤＡ（Infrared Data Association）規格に準拠した方式により、先端ボタン９２に連動したスイッチのオン／オフを示すデータを送信する。
【００２２】
プロジェクター１０は、後述するように、スクリーンＳＣ上における指示体９０の位置を検出する検出部５０（図２参照）を備えている。検出部５０は、指示体９０の先端ボタン９２が押圧されたスクリーンＳＣ上の位置を、表示面としてのスクリーンＳＣ上における指示体９０の位置として検出し、指示体９０の位置を示す位置情報ＰＳを生成する。
【００２３】
プロジェクター１０は、描画モードと操作モードとを備える。描画モードでは、検出部５０により生成される指示体９０の位置を示す位置情報ＰＳに基づいて、指示体９０の軌跡を線画としてスクリーンＳＣ上に描画する。操作モードでは、位置情報ＰＳを、プロジェクター１０に接続されたＰＣ１０１等のＰＣに出力し、ＰＣにおいて所謂マウスなどのポインティングデバイスにより操作した場合と同様の操作を、スクリーンＳＣ上に表示された画像を指示体９０で指示することにより可能とする。操作モードにおいては、指示体９０の位置を示す位置情報ＰＳは、ＰＣにおけるポインティングデバイスの入力座標として用いられる。
【００２４】
スクリーンＳＣには、図１に示すように、投射画像と共にツールバー２０１が投射される。ツールバー２０１には、プロジェクター１０に各種の機能を実行させるための複数の機能ボタン２０４等が配置されている。指示体９０を、いずれかの機能ボタン２０４の位置に押し当てると、プロジェクター１０は、該当する機能ボタン２０４に割り当てられた機能を実行する。
【００２５】
また、ツールバー２０１には、描画モード切換ボタン２０２と、操作モード切換ボタン２０３とが配置されている。描画モード切換ボタン２０２の位置に指示体９０を押し当てると、プロジェクター１０の動作モードは描画モードに切り換えられる。また、操作モード切換ボタン２０３の位置に指示体９０を押し当てると、プロジェクター１０の動作モードは操作モードに切り換えられる。図１は、操作モードに切り換えられた状態を示している。
【００２６】
プロジェクター１０は、図１に示す操作パネル８１のボタンを押下することにより操作することができる。また、プロジェクター１０は、図示を省略するリモコンのボタンを押下することによっても操作することができる。
【００２７】
次に、本実施形態のプロジェクター１０の構成について説明する。図２は、プロジェクター１０の機能ブロックを示す図である。プロジェクター１０は、図２に示すように、インターフェース（以下、適宜、Ｉ／Ｆと記載する）部２０、画像処理部４０、検出部５０、記憶部６０、表示部７０、入力部８０及びＣＰＵ（Central Processing Unit）３００を備えている。ＣＰＵ３００は記憶部６０に記憶されている制御プログラムＰを実行することによって、プロジェクター１０全体を制御する制御部３０として機能する。
【００２８】
Ｉ／Ｆ部２０は、ＰＣ、ビデオ再生装置、及びＤＶＤ再生装置等の外部装置と、プロジェクター１０とを接続するための複数のインターフェースを備えている。各インターフェースは、外部機器と接続するための端子を備え、さらに、外部機器から入力される信号をプロジェクター１０の内部で取り扱うことが可能な信号に変換する入力回路とプロジェクター１０の内部の信号を外部機器へ出力するための信号に変換する出力回路とのうち少なくとも一方を備える。
この例のＩ／Ｆ部２０は、Ｄ−ｓｕｂ_Ｉ／Ｆ２２０、ＨＤＭＩ１_Ｉ／Ｆ２３０、ＨＤＭＩ２_Ｉ／Ｆ２４０、ＵＳＢ１_Ｉ／Ｆ２５０、ＵＳＢ２_Ｉ／Ｆ２６０、及びＬＡＮ_Ｉ／Ｆ２７０といった複数のインターフェースを備える。
【００２９】
図３は、Ｉ／Ｆ部２０に含まれるインターフェースの端子の例を示す図である。Ｉ／Ｆ部２０は、図３に示すように、無線ＬＡＮユニット端子２１、Ｄ−ｓｕｂ端子２２、ＨＤＭＩ１端子２３、ＨＤＭＩ２端子２４、ＵＳＢ１端子２５、ＵＳＢ２端子２６、及びＬＡＮ端子２７を備えている。無線ＬＡＮユニット端子２１は、無線ＬＡＮによる通信を可能にする無線ＬＡＮユニットが装着可能な端子である。プロジェクター１０は、無線ＬＡＮユニット端子２１に無線ＬＡＮユニットを装着することにより、ＰＣ等との間で無線ＬＡＮによる通信を行う。無線ＬＡＮユニット端子２１とＬＡＮ端子２７とは、ＬＡＮ_Ｉ／Ｆ２７０に含まれる。
これらの端子のうち、Ｄ−ｓｕｂ端子２２、ＨＤＭＩ１端子２３、及びＨＤＭＩ２端子２４は、画像信号を入力することが可能であるが、位置情報ＰＳを出力することはできない。一方、無線ＬＡＮユニット端子２１、ＵＳＢ１端子２５、ＵＳＢ２端子２６、及びＬＡＮ端子２７は、画像信号の入力と位置情報ＰＳの出力が可能である。ただし、ＵＳＢ１端子２５及びＵＳＢ２端子２６を用いて、画像信号を入力する場合は、ＰＣ等の外部機器が、ＵＳＢケーブルを用いて画像を表示させるＵＳＢディスプレイの機能を備えている必要がある。
【００３０】
Ｄ−ｓｕｂ端子２２は、ＲＧＢアナログ出力を持つＰＣとプロジェクター１０とをＤ−ｓｕｂケーブルにより接続するための端子であり、ＰＣからアナログの画像信号を入力するために用いられる。ＨＤＭＩ１端子２３及びＨＤＭＩ２端子２４は、ＨＤＭＩ（登録商標）規格に準拠した端子であり、ＰＣ等とプロジェクター１０とをＨＤＭＩケーブルにより接続することで、ＰＣ等からデジタルの画像信号及び音声信号を入力することが可能である。
【００３１】
ＵＳＢ１端子２５及びＵＳＢ２端子２６は、ＵＳＢ規格に準拠した端子である。例えばＵＳＢケーブルを用いてプロジェクター１０とＰＣ等とを接続することにより、プロジェクター１０とＰＣ等との間でデジタルの画像信号及び音声信号等のデータ信号の入出力が可能であるＬＡＮ端子２７は、ＬＡＮケーブルを接続可能な端子である。ＬＡＮケーブルによりプロジェクター１０とＰＣ等とを接続することにより、デジタルの画像信号及び音声信号等のデータ信号の入出力が可能である。
【００３２】
プロジェクター１０を操作モードで動作させる場合、画像信号を入力するインターフェースと位置情報ＰＳを出力するインターフェースが必要となる。以下の説明では、画像信号を入力するインターフェースを第１のインターフェース、位置情報ＰＳを出力するインターフェースを第２のインターフェースと称する。
第１のインターフェースとして、Ｄ−ｓｕｂ_Ｉ／Ｆ２２０、ＨＤＭＩ１_Ｉ／Ｆ２３０、ＨＤＭＩ２_Ｉ／Ｆ２４０、ＵＳＢ１_Ｉ／Ｆ２５０、ＵＳＢ２_Ｉ／Ｆ２６０、及びＬＡＮ_Ｉ／Ｆ２７０を用いることができる。また、位置情報ＰＳを出力する第２のインターフェースとして、ＵＳＢ１_Ｉ／Ｆ２５０、ＵＳＢ２_Ｉ／Ｆ２６０、及びＬＡＮ_Ｉ／Ｆ２７０を用いることができる。つまり、Ｄ−ｓｕｂ_Ｉ／Ｆ２２０、ＨＤＭＩ１_Ｉ／Ｆ２３０、及びＨＤＭＩ２_Ｉ／Ｆ２４０は第１のインターフェースとして機能するが、第２のインターフェースとして機能しない。一方、ＵＳＢ１_Ｉ／Ｆ２５０、ＵＳＢ２_Ｉ／Ｆ２６０、及びＬＡＮ_Ｉ／Ｆ２７０は、第１のインターフェース及び第２のインターフェースとして機能する。
【００３３】
次に、本実施形態のプロジェクター１０を操作モードで動作させる場合のプロジェクター１０とＰＣとの接続形態について説明する。図４に、接続形態を例示する。
接続形態１〜接続形態３は、ＰＣのＤ−ｓｕｂ端子とプロジェクター１０のＤ−ｓｕｂ端子２２とをＤ−ｓｕｂケーブルで接続し、Ｄ−ｓｕｂケーブルを介して画像信号をＰＣからプロジェクター１０へ入力する。Ｄ−ｓｕｂケーブルでは位置情報ＰＳをプロジェクター１０からＰＣに送信できない。そこで、接続形態１では、プロジェクター１０のＵＳＢ１端子２５又はＵＳＢ２端子２６とＰＣのＵＳＢ端子とをＵＳＢケーブルで接続し、ＵＳＢケーブルを介して位置情報ＰＳをプロジェクター１０からＰＣに送信する。また、接続形態２では、位置情報ＰＳをプロジェクター１０からＰＣに無線ＬＡＮを介して送信する。さらに、接続形態３では、位置情報ＰＳをプロジェクター１０からＰＣに有線ＬＡＮを介して送信する。
【００３４】
次に、接続形態４〜接続形態６は、ＰＣのＨＤＭＩ端子とプロジェクター１０のＨＤＭＩ１端子２３又はＨＤＭＩ２端子２４とをＨＤＭＩケーブルで接続し、ＨＤＭＩケーブルを介して画像信号をＰＣからプロジェクター１０へ入力する。プロジェクター１０からＰＣへの位置情報ＰＳの送信には、接続形態１〜接続形態３と同様に、ＵＳＢ、無線ＬＡＮ、及び有線ＬＡＮを用いる。
【００３５】
次に、接続形態７は、ＰＣのＵＳＢ端子とＵＳＢ１端子２５又はＵＳＢ１端子２６とをＵＳＢケーブルで接続し、ＵＳＢケーブルを介して画像信号をＰＣからプロジェクター１０へ入力する。また、同一のＵＳＢケーブルを用いて位置情報ＰＳをプロジェクター１０からＰＣに送信する。
次に、接続形態８は、ＰＣとプロジェクター１０とを無線ＬＡＮで接続し、無線ＬＡＮを介して画像信号をＰＣからプロジェクター１０に入力すると共に、位置情報ＰＳをプロジェクター１０からＰＣに出力する。
次に、接続形態９は、ＰＣとプロジェクター１０とを有線ＬＡＮで接続し、有線ＬＡＮを介して画像信号をＰＣからプロジェクター１０に入力すると共に、位置情報ＰＳをプロジェクター１０からＰＣに出力する。
【００３６】
また、Ｉ／Ｆ部２０は、図２に示すインターフェース２２０〜２７０の各々について、外部機器との接続状態を検出する。さらに、Ｉ／Ｆ部２０は、インターフェース２２０〜２７０の各々について、外部機器から画像信号が入力されている否かを検出する。Ｉ／Ｆ部２０は、これらの検出結果を示す検出データＤ１を制御部３０に出力する。接続状態には、接続中と非接続とがある。「接続中」とは、外部機器と通信可能な状態であり、「非接続」は外部機器と通信不能な状態をいう。なお、Ｉ／Ｆ部２０における各インターフェースの接続状態及び画像信号の入力状態の監視を制御部３０で実行し、制御部３０が検出データＤ１を生成してもよい。
また、Ｉ／Ｆ部２０には、操作モードにおいて位置情報ＰＳと制御データＤ２とが制御部３０から供給される。制御データＤ２は、位置情報ＰＳを出力するために用いるインターフェースを指定するデータである。
【００３７】
図２に示す画像処理部４０はフレームメモリー４１を備える。Ｉ／Ｆ部２０を介して入力され、制御部３０から出力される画像信号に対して、インターレース／プログレッシブ変換、解像度変換、色変換等の各種変換処理を適宜実行する。画像処理部４０は、また、各種変換処理を実行した後、予め設定されたフォーマットの画像データを生成し、フレームメモリー４１にフレーム毎の画像データを展開する。描画モードにおいては、指示体９０の位置を示す位置情報ＰＳが制御部３０から画像処理部４０に出力される。画像処理部４０は、位置情報ＰＳに従って、フレームメモリー４１に展開された画像データに図形の画像データを加え、或いは消去する編集を行い、画像データの生成又は更新を行う。
【００３８】
本実施形態の操作モードでは、指示体９０の位置を示す位置情報ＰＳの出力先を利用者に選択させるため、出力先確認画像（第２の画像）を表示する。当該出力先確認画像を表示するための画像データＧＤは、例えば記憶部６０に予め記憶されており、制御部３０によって画像処理部４０に出力される。画像処理部４０は、出力先確認画像を表示するための画像データＧＤをフレームメモリー４１にフレーム毎に展開する。また、ツールバー２０１を表示するための画像データＧＤについても、例えば記憶部６０に予め記憶されており、制御部３０によって画像処理部４０に出力される。画像処理部４０は、ツールバー２０１を表示するための画像データをフレームメモリー４１にフレーム毎に展開する。
【００３９】
検出部５０は、スクリーンＳＣに対する指示体９０の位置を検出し、指示体９０の位置を示す位置情報ＰＳを生成する。検出部５０は、撮像部５１、受光部５２、及び位置情報生成部５３を備える。撮像部５１は、表示部７０がスクリーンＳＣ上に画像を表示する範囲をカバーする画角を有するＣＣＤやＣＭＯＳからなる撮像素子、及び、撮像素子の検出値を読み出して出力するインターフェース回路等を有する。受光部５２は、指示体９０の赤外線発光部から発光される赤外線信号を受光する。
【００４０】
位置情報生成部５３は、撮像部５１の出力信号に基づいて、指示体９０の位置を示す位置情報ＰＳを生成する。位置情報ＰＳは、指示体９０が画像の表示面であるスクリーンＳＣと接触する位置を示す情報であれば、どのようなものであっても良い。この例の位置情報ＰＳは、指示体９０の先端ボタン９２がスクリーンＳＣ上で指し示している位置の座標を示す。
また、検出部５０は、受光部５２の出力信号をデコードし、指示データＤ３を生成する。指示データＤ３は、指示体９０の先端ボタン９２の操作状態を示すデータを含んでいる。さらに、検出部５０は、指示体９０の先端ボタン９２が押し下げられており、位置情報ＰＳがツールバー２０１の各ボタンの位置を示す場合、どのボタンが押下されたことを示すデータを指示データＤ３に含ませる。検出部５０は、位置情報ＰＳ及び指示データＤ３を制御部３０に出力する。
【００４１】
記憶部６０は、ハードディスクドライブ、あるいは半導体メモリーから構成され、制御部３０が実行する制御プログラムＰ、制御部３０が処理するデータ、及び後述する管理テーブルＴＢＬを記憶する。また、記憶部６０は、上述した出力先確認画像及びツールバー２０１を表示するための画像データＧＤを記憶する。なお、記憶部６０は、プロジェクター１０の外部の記憶装置あるいはサーバー等に設けるようにしてもよい。
【００４２】
表示部７０は、照明光学系７１、光変調装置７２、及び投射光学系７３を備える。照明光学系７１は、キセノンランプ、超高圧水銀ランプ、ＬＥＤ（Light Emitting Diode）、レーザー光源等からなる光源を備えている。また、照明光学系７１は、光源が発した光を光変調装置７２に導くリフレクター及び補助リフレクターを備えていてもよい。投射光の光学特性を高めるためのレンズ群（図示略）、偏光板、或いは光源が発した光の光量を光変調装置７２に至る経路上で低減させる調光素子等を備えたものであってもよい。
光変調装置７２は、例えばＲＧＢの三原色に対応した３枚の透過型液晶パネルを備え、画像処理部４０から出力される画像データに基づいて液晶パネルを透過する光を変調して画像光を生成する。照明光学系７１からの光はＲＧＢの３色の色光に分離され、各色光は対応する各液晶パネルに入射する。各液晶パネルを通過して変調された色光はクロスダイクロイックプリズム等の合成光学系によって合成され、投射光学系７３に射出される。
【００４３】
投射光学系７３は、投射する画像の拡大・縮小及び焦点の調整を行うズームレンズ、ズームの度合いを調整するズーム調整用モーター、フォーカスの調整を行うフォーカス調整用モーター、投射光をスクリーンＳＣに向けて反射する凹面鏡等を備えている。投射光学系７３は、光変調装置７２で変調された画像光のズーム調整及びフォーカス調整を行って、レンズ群を通った光を凹面鏡によりスクリーンＳＣ方向へ導き、スクリーンＳＣ上に結像させる。なお、投射光学系７３の具体的構成は上記の例に限定されず、例えば凹面鏡を含むミラーを用いない構成により、光変調装置７２で変調された光をレンズによってスクリーンＳＣに投射し、結像させることも可能である。
【００４４】
入力部８０は、操作パネル８１及びリモコン受光部８２を備える。リモコン受光部８２は、プロジェクター１０の利用者が使用するリモコン（図示略）がボタン操作に対応して送信した赤外線信号を受光する。リモコン受光部８２は、リモコンから受光した赤外線信号をデコードして、リモコンにおける操作内容を示す操作データＤ４を生成し、制御部３０に出力する。
【００４５】
操作パネル８１は、プロジェクター１０の外装筐体に設けられ、各種スイッチ及びインジケーターランプを有する。操作パネル８１は、制御部３０の制御に従い、プロジェクター１０の動作状態や設定状態に応じて操作パネル８１のインジケーターランプを適宜点灯或いは点滅させる。この操作パネル８１のスイッチが操作されると、操作されたスイッチに対応する操作データＤ４が制御部３０に出力される。
【００４６】
本実施形態では、表示部７０により表示させる画像に対応する画像信号を、Ｉ／Ｆ部２０のいずれのインターフェースから入力するのかを切り換えるために、操作パネル８１及びリモコンに、入力切換ボタンが設けられている。入力切換ボタンが押下される毎に、入力切換ボタンが押下されたことを示す操作データＤ４が、入力部８０から制御部３０に出力される。制御部３０は、入力切換ボタンが押下されたことを示す操作データＤ４を入力する毎に、画像信号を入力するインターフェースを順次切り換える処理を行う。例えば、プロジェクター１０が操作モードで動作している場合には、入力切換ボタンが押下される毎に、次のような順序でインターフェースが切り換えられる。Ｄ−ｓｕｂ端子２２→ＨＤＭＩ１端子２３→ＨＤＭＩ２端子２４→ＵＳＢ１端子２５→ＵＳＢ２端子２６→ＵＳＢ２端子２６→ＬＡＮ端子２７→無線ＬＡＮユニット端子２１→Ｄ−ｓｕｂ端子２２。なお、ＬＡＮ端子２７及び無線ＬＡＮユニット端子２１を介して複数のＰＣが接続され、それぞれのＰＣから画像信号が出力される場合には、ＩＰアドレスごとに画像信号の入力元を切り換えるようになっている。
【００４７】
制御部３０は、Ｉ／Ｆ部２０、画像処理部４０、検出部５０、記憶部６０、表示部７０、及び入力部８０と接続されており、各部との間でデータの入出力を行うと共に、各部を制御する。
本実施形態では、各インターフェースの接続状態及び信号入力状態、並びに位置情報ＰＳの出力先は、記憶部６０に記憶される管理テーブルＴＢＬにより管理される。制御部３０は、管理テーブルＴＢＬへの情報の書き込みと更新を行う。制御部３０は、検出部５０によって生成される位置情報ＰＳを入力し、管理テーブルＴＢＬに基づいて、Ｉ／Ｆ部２０のいずれかのインターフェースから位置情報ＰＳを出力するかを制御する。また、制御部３０は、入力部８０から出力される入力切換ボタンが押下されたことを示す信号を入力する毎に、画像信号を入力するインターフェースを順次切り換える処理を行う。
【００４８】
制御部３０は、Ｉ／Ｆ部２０のいずれかのインターフェースのうち、現在選択されているインターフェースから入力される画像信号を画像処理部４０に出力する。また、制御部３０は、記憶部６０に記憶された出力先確認画像の画像データＧＤを必要に応じて読み出し、画像処理部４０に出力する。
【００４９】
制御部３０は、検出部５０から出力される指示体９０の位置情報ＰＳと、指示体９０の先端ボタン９２の操作状態を示す指示データＤ３を入力する。操作モードにおいて、制御部３０は、記憶部６０に記憶された管理テーブルＴＢＬを参照して、位置情報ＰＳをどのインターフェースを用いて出力するかを指定する制御データＤ２を生成する。そして、制御部３０は位置情報ＰＳと制御データＤ２とをＩ／Ｆ部２０に出力する。さらに、指示データＤ３にツールバー２０１の各ボタンが押下されたことを示すデータが含まれる場合、制御部３０は、各ボタンに応じた機能を実行する。
【００５０】
制御部３０は、入力部８０から入力される操作データＤ４に基づいて、利用者が行った操作の内容を検出し、この操作に応じて画像処理部４０及び表示部７０を制御して、スクリーンＳＣに画像を表示させる。また、制御部３０は、操作データＤ４に基づいて、表示部７０を制御して、フォーカス調整、ズーム調整、絞り調整等を実行する。
【００５１】
次に、本実施形態における管理テーブルＴＢＬについて説明する。図５に、管理テーブルＴＢＬのデータ構造の一例を示す。図５に示すように、管理テーブルＴＢＬは、複数のレコードが記録されている。一つのレコードは、入力元情報、表示情報、接続状態情報、入力状態情報、及び出力先情報を対応付けている。プロジェクター１０の電源を入れた直後において、管理テーブルＴＢＬは初期化される。管理テーブルＴＢＬの初期状態では、表示情報、接続状態情報、入力状態情報、及び出力先情報は、全て「Ｎｕｌｌ」となっている。
入力元情報は、画像信号が入力可能なインターフェースを識別する情報であって、インターフェース名を示す。インターフェース名としては、「Ｄ―ｓｕｂ端子」、「ＨＤＭＩ１端子」、「ＨＤＭＩ２端子」、「ＵＳＢ１端子」、及び「ＵＳＢ２端子」がある。ＬＡＮ端子２７と無線ＬＡＮユニット端子２１については、有線ＬＡＮ又は無線ＬＡＮにより、複数のＰＣが接続可能となっている。そこで、ＬＡＮ端子２７と無線ＬＡＮユニット端子２１については、「ＬＡＮ端子」と「無線ＬＡＮユニット端子」という名称ではなく、ＬＡＮ端子２７又は無線ＬＡＮユニット端子２１に接続している外部装置のＩＰアドレスを入力元情報として記録する。なお、管理テーブルＴＢＬの初期状態において、入力元情報は、「Ｄ―ｓｕｂ端子」、「ＨＤＭＩ１端子」、「ＨＤＭＩ２端子」、「ＵＳＢ１端子」、及び「ＵＳＢ２端子」の各々がレコードに記録されているが、ＩＰアドレスは記録されていない。
【００５２】
次に、表示情報は、入力元情報に対応するインターフェースから入力された画像信号に基づく画像をプロジェクター１０が表示中であるか非表示であるかを示す。
次に、接続状態情報は、入力元情報に対応するインターフェースとＰＣ等の外部機器との接続状態を示す。具体的には、接続状態情報は、「接続中」であるか「非接続」であるかを示す。ここで、「接続中」は外部機器と通信可能な状態であり、「非接続」は外部機器と通信不能な状態をいう。例えば、ＰＣとプロジェクター１０とがＨＤＭＩケーブルで接続されていても、ＨＤＭＩケーブルが断線している場合には、接続状態情報は非接続を示す。また、接続状態情報は接続中を示す場合であっても、ＰＣが画像信号の送信を停止している場合には、画像信号が入力されない。
次に、入力状態情報は、入力元情報に対応するインターフェースから画像信号が入力されている「信号有り」、画像信号が入力されていない「信号無し」を示す。
次に、出力先情報は、位置情報ＰＳを出力するインターフェースが特定されている場合には、当該インターフェースのインターフェース名を示し、位置情報ＰＳを出力するインターフェースが不定である場合には、「Ｎｕｌｌ」を示す。さらに、位置情報ＰＳを出力しない場合（位置情報ＰＳの出力が禁止される場合）、出力先情報は、「出力先無し」を示す。
【００５３】
例えば、図５に示す例では、レコードＲ１において、入力元情報は「ＨＤＭＩ１端子」を示し、出力先情報は「ＵＳＢ１端子」を示す。これは、図４に示す接続形態４の場合である。レコードＲ１は、ＨＤＭＩ１端子２３に入力される画像信号を表示する場合には、ＵＳＢ１端子２５を介して位置情報ＰＳを出力すべきことを示している。
レコードＲ３において、入力元情報は「Ｄ−ｓｕｂ端子」を示し、表示情報は「非表示」を示し、出力先情報は「出力先無し」を示す。これは、Ｄ−ｓｕｂ端子２２から入力された画像信号に応じた画像を表示中には、位置情報ＰＳを出力しないことを示している。
【００５４】
＜２．操作モードにおけるプロジェクターの動作＞
次に、操作モードにおけるプロジェクターの動作について、まず、位置情報ＰＳの出力動作について説明し、次に、管理テーブルＴＢＬの更新動作について説明する。
【００５５】
＜２-１：位置情報ＰＳの出力動作＞
図６は、位置情報ＰＳの出力に関する動作を示すフローチャートである。まず、制御部３０は、検出部５０が位置情報ＰＳを検出したか否かを判定し（Ｓ１０）、位置情報ＰＳが検出されるまで、ステップＳ１０の処理を繰り返す。例えば、図１に示すように、第１の画像としてのＰＣ１０１のホーム画面がスクリーンＳＣに表示されているものとする。このような状態で、利用者が指示体９０の軸部９１を手に持って、先端ボタン９２を例えばスクリーンＳＣに表示されているフォルダーアイコンに押し当てたとする。プロジェクター１０の検出部５０は、指示体９０の位置を検出して位置情報ＰＳを生成すると共に、指示体９０の先端ボタン９２がオンされたことを示す指示データＤ３を生成し、位置情報ＰＳと指示データＤ３を制御部３０に出力する。この場合、制御部３０は、検出部５０から出力される位置情報ＰＳを検知して、制御部３０は、検出部５０が位置情報ＰＳを検出したと判定する。
【００５６】
次に、制御部３０は、表示中の画像に対応する位置情報ＰＳの出力先又は位置情報ＰＳを出力しないことが管理テーブルＴＢＬに記憶されているか否かを判定する(Ｓ２０)。
具体的には、制御部３０は、画像信号を入力している第１のインターフェースと、指示体９０の位置情報ＰＳの出力先となる第２のインターフェース又は「出力先無し」との対応付けが管理テーブルＴＢＬに記憶されているか否かを判定する。この場合、制御部３０は、管理テーブルＴＢＬを参照し、表示情報が表示中を示すレコードを特定し、当該レコードの出力先情報に基づいて判断する。
【００５７】
例えば、管理テーブルＴＢＬの記憶内容が、図５に示すものである場合、制御部３０は、レコードＲ１を特定する。レコードＲ１の出力先情報は「ＵＳＢ１端子」を示しているので、制御部３０は、第１のインターフェースと第２のインターフェースとの対応付けが管理テーブルＴＢＬに記憶されていると判定する。
また、図５に示す管理テーブルＴＢＬにおいて、仮に、レコードＲ３の表示情報が「表示中」を示す場合、レコードＲ３の出力先情報は「出力先無し」を示すので、制御部３０は第１のインターフェースと「出力先無し」との対応付けが管理テーブルＴＢＬに記憶されていると判定する。
また、図５に示す管理テーブルＴＢＬにおいて、仮に、レコードＲ２の表示情報が「表示中」を示す場合、レコードＲ２の出力先情報は「Ｎｕｌｌ」を示すので、制御部３０は表示中の画像に対応する位置情報ＰＳの出力先又は位置情報ＰＳの出力しないことが管理テーブルＴＢＬに記憶されていないと判定する。
【００５８】
ステップＳ２０の判定結果が否定を示す場合（Ｓ２０：ＮＯ）、制御部３０は、第２のインターフェースの候補となるインターフェースを特定する（Ｓ３０）。具体的には、制御部３０は、管理テーブルＴＢＬを参照して、表示情報が「表示中」を示すレコードを特定し、当該レコードの入力元情報のインターフェース名が、位置情報ＰＳを出力可能なインターフェースを示すか否かを判定する。出力可能なインターフェースである場合は、第２のインターフェースの候補として入力元情報のインターフェース名を特定する。この場合、第２のインターフェースの候補は一意に定まり一つとなる。位置情報ＰＳを出力可能なインターフェースとは、ＵＳＢ１_Ｉ／Ｆ２５０、ＵＳＢ２_Ｉ／Ｆ２６０、及びＬＡＮ_Ｉ／Ｆ２７０である。ＬＡＮ_Ｉ／Ｆ２７０の場合、入力元情報はＩＰアドレスを示す。
【００５９】
入力元情報のインターフェース名が、位置情報ＰＳを出力可能なインターフェースでない場合、制御部３０は、管理テーブルＴＢＬを参照して、入力元情報のインターフェース名が位置情報ＰＳを出力可能なインターフェースを示し、表示情報が「非表示」、接続状態情報が「接続中」、入力状態情報が「信号無し」、出力先情報が「Ｎｕｌｌ」を示すレコードを抽出し、抽出したレコードの入力元情報で特定されるインターフェースを、第２のインターフェースの候補として、特定する。例えば、図５に示す管理テーブルＴＢＬにおいて、仮に、レコードＲ１の出力先情報が「Ｎｕｌｌ」を示す場合を想定すると、ＵＳＢ１端子とＩＰアドレス１とが第２のインターフェースの候補となるインターフェースとなる。
【００６０】
即ち、第２のインターフェースの候補となるインターフェースの特定は、表示中の画像信号を入力するインターフェースが、位置情報ＰＳを出力可能なインターフェースである場合は、これを優先して、第１のインターフェースと第２のインターフェースとを一致させる。一方、表示中の画像信号を入力するインターフェースが、位置情報ＰＳを出力可能なインターフェースである場合は、位置情報ＰＳを出力可能なインターフェースの中から抽出することになる。そして、接続状態情報が「接続中」を条件としたのは、「非接続」であれば、位置情報ＰＳを出力できないからである。また、入力状態情報が「信号無し」を条件としたのは、入力状態情報が「信号有り」の場合は、当該インターフェースに画像信号が入力されており、位置情報ＰＳを出力できないからである。
【００６１】
次に、制御部３０は、第２のインターフェースの候補が一意に定まるか否かを判定する（Ｓ４０）。第２のインターフェースの候補が複数ある場合には、制御部３０は、出力先確認画像をスクリーンＳＣに表示させ、候補となるインターフェースのうち一つのインターフェースを選択するように促す（Ｓ５０）。
【００６２】
図７は、出力先確認画像４００の一例を示す図である。図７に示すように、出力先確認画像４００には、「位置情報の出力先が複数存在します。出力先を選択してください。」というメッセージが含まれている。このメッセージは画像データＧＤに基づいて生成される。また、図７に示すように、出力先確認画像４００には、「ＵＳＢ１端子」と表示された選択ボタン４０１、「ＩＰアドレス１」と表示された選択ボタン４０２、及び「出力先無し」と表示された選択ボタン４０３が含まれる。このように、管理テーブルＴＢＬに第１のインターフェースと第２のインターフェースの対応付けが記憶されていない場合には、当該第２のインターフェースの候補となるインターフェースを選択の対象とする出力先確認画像４００をスクリーンＳＣに表示させる。当該第２のインターフェースの候補となるインターフェースとは、言い換えると位置情報ＰＳの出力が可能なインターフェースである。ここで、当該第２のインターフェースの候補として、位置情報ＰＳの出力が可能なインターフェースであって、且つ、外部装置と接続中のインターフェースを表示し、位置情報ＰＳの出力が可能なインターフェースであって、且つ、外部装置と接続されていないインターフェースは表示しないようにしてもよい。なお、「出力先無し」を選択の対象としているのは、プロジェクター１０を操作モードで動作させている場合であっても、ＰＣの画像のみをスクリーンＳＣに表示させ、指示体９０による操作は行わないという使用態様が存在するためである。
【００６３】
利用者が第２のインターフェースの候補の中から出力先のインターフェースを選択してステップＳ５０の処理が終了するか、第２のインターフェースの候補が一つでありステップＳ４０の判定結果が肯定である場合（Ｓ４０：ＹＥＳ）、制御部３０は、管理テーブルＴＢＬに出力先情報を記憶する（Ｓ６０）。
【００６４】
これにより、制御部３０は、第２のインターフェースの候補が一つである場合は、出力先確認画像（第２の画像）を表示させることなく、表示中の画像信号が入力される第１のインターフェースと位置情報ＰＳを出力する第２のインターフェースとの対応付けを管理テーブルＴＢＬに記憶する。このように出力先のインターフェースが、一意に定まる場合には、出力先確認画像を表示しないので、利用者が出力先を設定する手間を簡素化できる。また、一意に定まる場合は、利用者が出力先のインターフェースを指定しなくても不都合がない。
また、制御部３０は、第２のインターフェースの候補が複数ある場合は、出力先確認画像を表示させて、利用者が選択した一つのインターフェースと表示中の画像信号が入力される第１のインターフェースとの対応付けを管理テーブルＴＢＬに記憶する。
【００６５】
この後、制御部３０は、出力先確認画像の表示を終了させて、元の画像に戻す（Ｓ７０）。さらに、制御部３０は、出力先情報が「出力先無し」を示すか否かを判定する（Ｓ８０）。具体的には、制御部３０は管理テーブルＴＢＬを参照して、表示情報が「表示中」を示すレコードを特定し、当該レコードの出力先情報が「出力先無し」を示すか否かを判定する。管理テーブルＴＢＬの初期状態（プロジェクター１０の電源がオンになった直後の状態）では、管理テーブルＴＢＬの出力先情報は、全て「Ｎｕｌｌ」となっている。出力先情報が「出力先無し」を示す場合は、利用者が出力先確認画像で、「出力先無し」を選択した場合である。ステップＳ８０の判定結果が肯定である場合、制御部３０は、位置情報ＰＳを出力することなく処理を終了させる。
一方、ステップＳ８０の判定結果が否定である場合（Ｓ８０：ＮＯ）、制御部３０は、位置情報出力処理を実行する（Ｓ９０）。位置情報出力処理において、制御部３０は、表示情報が「表示中」を示すレコードを特定し、当該レコードの出力先情報の示すインターフェースを用いて、位置情報ＰＳを出力させる。
【００６６】
＜２-２：管理テーブルの更新動作＞
上述したように、制御部３０は、検出部５０が位置情報ＰＳを検出すると、所定の場合に、管理テーブルＴＢＬの出力先情報を更新した。これ以外にも、制御部３０は、管理テーブルＴＢＬを更新することがある。以下、位置情報ＰＳの検出を契機とする管理テーブルＴＢＬの更新と、常時、実行される管理テーブルＴＢＬの更新について併せて説明する。図８は、制御部３０が実行する更新処理の内容を示すフローチャートである。なお、制御部３０は、所定の割り込みタイミングで更新処理を実行する。
【００６７】
まず、制御部３０は、接続先設定画面による位置情報ＰＳの出力先の設定又は出力先の自動設定があったか否かを判定する（Ｓ１００）。この判定結果が肯定である場合（Ｓ１００：ＹＥＳ）、制御部３０は管理テーブルＴＢＬに対して出力先情報を設定する（Ｓ１１０）。出力先情報の設定の詳細は、図６を参照して説明したスッテプＳ６０の処理である。
【００６８】
ステップＳ１００の判定結果が否定である場合（Ｓ１００：ＮＯ）、又はステップＳ１１０の処理を終了した場合、制御部３０は、入力部８０から供給される操作データＤ４に基づいて、表示する画像信号の切換があったか否かを判定する（Ｓ１２０）、切換があった場合（Ｓ１２０：ＹＥＳ）、制御部３０は管理テーブルＴＢＬに記録されている表示情報を更新する（Ｓ１３０）。例えば、管理テーブルＴＢＬの記憶内容が図５に示すものである場合、ＨＤＭＩ１端子２３から入力される画像信号を表示している。この状態で、表示すべき画像信号をＵＳＢ２端子２６から入力される画像信号に切り換えたとする。この場合、制御部３０は、レコードＲ１の表示情報を「表示中」から「非表示」に更新し、入力元情報が「ＵＳＢ２端子」に対応する表示情報を「非表示」から「表示中」に更新する。このように画像信号の切換があると、表示情報を更新するので、管理テーブルＴＢＬを参照すれば、現在、表示中の画像信号は、どのインターフェースに入力されているかを知ることができる。
【００６９】
一方、表示する画像信号の切換が無く、ステップＳ１２０の判定結果が否定である場合（Ｓ１２０：ＮＯ）、又はステップＳ１３０の処理が終了した場合、制御部３０は、Ｉ／Ｆ部２０から供給される検出データＤ１に基づいて、各インターフェースを介して供給される画像信号の入力状態に変化があったか否かを判定する（Ｓ１４０）。変化があった場合（Ｓ１４０：ＹＥＳ）、制御部３０は、入力状態情報を更新する（Ｓ１５０）。具体的には、制御部３０は、検出データＤ１に基づいて、画像信号の入力状態が変化したインターフェースを特定し、管理テーブルＴＢＬに記憶されている当該インターフェースに対応する入力状態情報を更新する。
【００７０】
この後、制御部３０は、入力状態が「信号有り」から「信号無し」に変化したか否かを判定する（Ｓ１６０）。入力状態が「信号有り」から「信号無し」に変化した場合（Ｓ１６０：ＹＥＳ）、制御部３０は、入力状態が変化したインターフェースについて、タイマーの計時を開始する（Ｓ１７０）。この際、制御部３０は、タイマーの計測時間をクリアして、ゼロから計時を開始する。一方、入力状態が「信号無し」から「信号有り」に変化した場合（Ｓ１６０：ＮＯ）、制御部３０は、入力状態が変化したインターフェースについて、タイマーの計測時間をクリアする（Ｓ１８０）。これにより、インターフェースごとに画像信号の入力が停止している時間を知ることができる。
【００７１】
次に、制御部３０は、各タイマーの計測時間を所定時間（例えば、５秒）と比較することによって、画像信号の入力が無い状態が所定時間継続したか否かを判定する（Ｓ１９０）。判定結果が肯定である場合（Ｓ１９０：ＹＥＳ）、制御部３０は、後述するステップＳ２３０において、出力先情報を更新する。一方、判定結果が否定である場合（Ｓ１９０：ＮＯ）、制御部３０は、処理をステップＳ２００に進める。
ステップＳ２００において、制御部３０は検出データＤ１に基づいて、各インターフェースと外部機器との接続状態が変化したか否かを判定する。接続状態が変化した場合（Ｓ２００：ＹＥＳ）、制御部３０は、管理テーブルＴＢＬに記憶されている当該インターフェースに対応する接続状態情報を更新する（Ｓ２１０）。
【００７２】
この後、制御部３０は、接続状態情報が「接続中」から「非接続」に変化したか否かを判定する（Ｓ２２０）。この判定結果が肯定である場合（Ｓ２２０：ＹＥＳ）、又はステップＳ１９０の判定結果が肯定の場合（Ｓ１９０：ＹＥＳ）、制御部３０は、画像信号を入力する第１のインターフェースと、位置情報ＰＳを出力する第２のインターフェースとの対応付けを解除して、出力先情報を更新する（Ｓ２３０）。
【００７３】
具体的には、接続状態情報の更新があったレコードの出力先情報が「Ｎｕｌｌ」でなければ「Ｎｕｌｌ」に更新する。更に、制御部３０は、接続状態が「接続中」から「非接続」に変化したインターフェースのインターフェース名と一致する出力先情報が管理テーブルＴＢＬに記録されている場合には、当該出力先情報を「Ｎｕｌｌ」に更新する。
【００７４】
加えて、画像信号の入力が所定時間継続して無くなり、ステップＳ１９０の判定結果が肯定された場合、制御部３０は、画像信号の入力が所定時間継続して無くなったインターフェースのインターフェース名と一致する入力元情報を記録したレコードを特定し、当該レコードの出力先情報が「Ｎｕｌｌ」でなければ「Ｎｕｌｌ」に更新する。
【００７５】
例えば、管理テーブルＴＢＬの記憶内容が図５に示すものである場合、レコードＲ３には、「Ｄ−ｓｕｂ端子」を示す入力元情報と「出力先無し」を示す出力先情報とが対応付けられて記憶されている。この状態で、Ｄ−ｓｕｂ端子２２に接続されるＤ−ｓｕｂケーブルが引き抜かれたとする。すると、接続状態情報は「非接続」に更新される。また、出力先情報は「Ｎｕｌｌ」に更新される。即ち、画像信号を入力している入力元の接続状態が非接続になった場合に、位置情報ＰＳの出力先情報を「Ｎｕｌｌ」に更新する。これは、接続状態が非接続になると、画像信号の入力元の外部機器が、ある外部機器から他の外部機器に変更される可能性があるからである。仮に、他の外部機器に変更されたとすると、位置情報ＰＳを変更前のインターフェースを用いて出力すると、本来は他の外部機器に出力すべき位置情報ＰＳが従前のある外部機器に出力されるからである。
【００７６】
また、レコードＲ１の出力先情報は「ＵＳＢ１端子」を示しているが、ＵＳＢ１端子２５に接続されるＵＳＢケーブルが引き抜かれると、当該出力先情報は「Ｎｕｌｌ」に更新される。即ち、位置情報ＰＳを出力している出力先の接続状態が非接続になった場合に、位置情報ＰＳの出力先情報を「Ｎｕｌｌ」に更新する。これは、接続状態が非接続になると、位置情報ＰＳの出力先の外部機器が、ある外部機器から他の外部機器に変更される可能性があるからである。仮に、他の外部機器に変更されたとすると、画像信号の入力元と異なる外部機器に位置情報ＰＳが出力されることになる。
本実施形態によれば、これらの場合に、出力先情報を更新するので、位置情報ＰＳの出力先となっている外部装置において、利用者の意図しない操作がなされてしまうことを防ぐことができる。
【００７７】
そして、制御部３０は、外部機器との接続状態に変化がなくステップＳ２００の判定結果が否定である場合（Ｓ２００：ＮＯ）、外部機器との接続状態が「非接続」から「接続中」に変化してステップＳ２２０の判定結果が否定である場合（Ｓ２２０：ＮＯ）、又はステップ２３０の処理が終了した場合には、制御部３０は管理テーブルＴＢＬの更新処理を終了する。
【００７８】
＜３．操作モードの動作例＞
次に、プロジェクター１０の具体的な動作例を説明する。
【００７９】
＜３-１：動作例１＞
動作例１は、操作モードにおいて、プロジェクター１０に５つのＰＣが接続されている状態で、表示中の画像信号をあるＰＣから他のＰＣに切り替えた場合を想定する。
図９は、動作例１におけるプロジェクター１０とＰＣとの接続を示すブロック図である。この図に示すように、プロジェクター１０には第１のＰＣ１０１、第２のＰＣ１０２、第３のＰＣ１０３、第４のＰＣ１０４、及び第５のＰＣ１０５が接続されている。
【００８０】
プロジェクター１０は、第１のＰＣ１０１からＨＤＭＩケーブルＨ１を介して入力される画像信号に対応する画像を表示している。この状態で、位置情報ＰＳはＵＳＢケーブルＵ１を介してプロジェクター１０から第１のＰＣ１０１へ出力される。また、第２のＰＣ１０２からＵＳＢケーブルＵ２を介して画像信号がプロジェクター１０に入力される。また、第３のＰＣ１０３からＤ−ｓｕｂケーブルＳを介して画像信号がプロジェクター１０に入力される。また、第４のＰＣ１０４からＬＡＮ２００を介して画像信号がプロジェクター１０に入力される。第４のＰＣ１０４にはＩＰアドレス１が割り当てられている。更に、第５のＰＣ１０５からＨＤＭＩケーブルＨ２を介して画像信号がプロジェクター１０に入力される。加えて、第５のＰＣ１０５は、ＬＡＮ２００を介してプロジェクター１０と接続されており、第４のＰＣ１０４にはＩＰアドレス２が割り当てられている。
【００８１】
この状態において、管理テーブルＴＢＬの記憶内容は、例えば、図５に示すものとなっている。ここで、利用者がリモコンを操作して画像信号の入力元をＨＤＭＩ１端子２３からＨＤＭＩ２端子２４に切り換えたとする。
【００８２】
そして、利用者が指示体９０を用いてスクリーンＳＣ上で操作を行うと、検出部５０が位置情報ＰＳを検出する。この際、制御部３０は、管理テーブルＴＢＬを参照し、ＨＤＭＩ２端子２４に対応する出力先情報に位置情報ＰＳの出力先が記録されているか確認する（図６に示すＳ２０）。図５に示す管理テーブルＴＢＬにおいて、レコードＲ２には、入力元情報としてＨＤＭＩ２端子２４が記録されており、出力先情報には「Ｎｕｌｌ」が記録されている。即ち、ＨＤＭＩ２端子２４を介して入力される画像信号を表示する場合、どのインターフェースを用いて位置情報ＰＳを出力するかは不定である。
そこで、制御部３０は、位置情報ＰＳを出力する第２のインターフェースの候補となるインターフェースを示す出力先確認画像を表示する（図６に示すＳ５０）。この例では、制御部３０は、第２のインターフェースの候補として、ＵＳＢ２端子２６、ＩＰアドレス１及びＩＰアドレス２に加え、「出力先無し」を選択の対象として含む出力先確認画像を表示部７０に表示させる。この例では、制御部３０は、図７に示す出力先確認画像を表示させる。
ここで、利用者が選択ボタン４０３を押し下げてＩＰアドレス２を選択したとする。すると、管理テーブルＴＢＬは、更新され図１０に示すものとなる。図５と図１０は斜線部分が相違する。制御部３０は、Ｉ／Ｆ部２０を制御して位置情報ＰＳをＩＰアドレス２に出力させる。
【００８３】
このように、表示部７０で表示する画像信号を切り換えた場合に、位置情報ＰＳを出力する第２インターフェースの候補を表示し、利用者が選択できるようにしたので、位置情報ＰＳが、従前の外部機器に出力されて、利用者の意図しない操作がなされることを未然に防ぐことができる。
【００８４】
また、図１０に示すように、表示部７０で表示する画像信号を切り換えた場合であっても、レコードＲ１には、「ＨＤＭＩ１端子」を示す入力元情報と、「ＵＳＢ１端子」を示す出力先情報とが対応付けて記録されている。従って、表示部７０で表示する画像信号を、ＨＤＭＩ２端子２４に入力される画像信号から、再びＨＤＭＩ１端子２３に入力される画像信号に切り換えた場合には、出力先確認画像を表示する必要が無い。このように出力先確認画像を表示して、位置情報ＰＳを出力するインターフェースを選択すると、接続状態が変化する場合等を除いて、再度の設定は不要である。よって、利用者が位置情報ＰＳを出力するインターフェースを設定する手間を簡素化できる。
【００８５】
＜３-２：動作例２＞
動作例２は、動作例１と同様に図９に示すようにプロジェクター１０に５つのＰＣ１０１〜１０５が接続されており、利用者がリモコンを操作して画像信号の入力元をＨＤＭＩ１端子２３からＵＳＢ２端子２６に切り換える場合を想定する。
この場合、制御部３０は、管理テーブルＴＢＬを参照し、ＵＳＢ２端子２６に対応する出力先情報に位置情報ＰＳの出力先が記録されているか確認する（図６に示すＳ２０）。図５に示す管理テーブルＴＢＬにおいて、入力元情報にＵＳＢ２端子２６が記録されているレコードには、出力先情報に「Ｎｕｌｌ」が記録されている。即ち、ＵＳＢ２端子２６を介して入力される画像信号を表示する場合、どのインターフェースを用いて位置情報ＰＳを出力するかは不定である。
【００８６】
そこで、制御部３０は、位置情報ＰＳを出力する第２のインターフェースの候補となるインターフェースを特定する（図６に示すＳ３０）。但し、動作例２では、画像信号を入力するインターフェースがＵＳＢ２端子２６であり、ＵＳＢ２端子２６を用いて、位置情報ＰＳを出力することが可能である。このように画像信号の入力と位置情報ＰＳの出力が可能なインターフェースであれば、出力先確認画像を表示して利用者に選択を促す必要がない。このため、制御部３０は、第２のインターフェースの候補としてＵＳＢ２端子２６のみを特定する。そして、制御部３０は、出力先確認画像を表示部７０に表示させることなく、管理テーブルＴＢＬを図１１に示すように更新する。
そして、制御部３０は、Ｉ／Ｆ部２０を制御して位置情報ＰＳをＵＳＢ２端子２６から出力させる。
【００８７】
このように、表示部７０で表示する画像信号を切り換えた場合に、画像信号の入力と位置情報ＰＳの出力が可能なインターフェースから画像信号が入力される場合には、位置情報ＰＳを出力する第２のインターフェースを一意に定めることができる。よって、出力先確認画像を表示する必要がないので、利用者が位置情報ＰＳを出力するインターフェースを設定する手間を簡素化できる。
【００８８】
＜３-３：動作例３＞
動作例３では、まず、図１２に示すようにプロジェクター１０と第１のＰＣ１０１とがＨＤＭＩケーブルＨ１及びＵＳＢケーブルＵ１で接続されているものとする。そして、プロジェクター１０は、ＨＤＭＩ１端子２３に入力される画像信号に応じた画像をスクリーンＳＣに表示中であり、ＵＳＢ１端子２５を介して位置情報ＰＳを第１のＰＣ１０１に出力している。
この状態において、利用者が、プロジェクター１０にＨＤＭＩケーブルを接続したまま、第１のＰＣ１０１からＨＤＭＩケーブルＨ１を抜いて、第２のＰＣ１０２にＨＤＭＩケーブルＨ１を差し替える。そして、第２のＰＣ１０２から出力される画像信号に基づく画像を表示する場合を想定する。
【００８９】
図１３に、図１２に示す接続状態の場合の管理テーブルＴＢＬの記憶内容を示す。この図に示すように、レコードＲ１には、入力元情報として「ＨＤＭＩ１端子」が記録され、
出力先情報として「ＵＳＢ１端子」が記録されている。即ち、画像信号を入力する第１のインターフェースであるＨＤＭＩ１端子２３と、位置情報ＰＳを出力する第２のインターフェースであるＵＳＢ１端子２５との対応付けが管理テーブルＴＢＬに記憶されている。
【００９０】
このような状態において、ＨＤＭＩケーブルＨ１を第１のＰＣ１０１から引き抜くと、接続状態は図１４に示すものとなる。この状態では、プロジェクター１０と第１のＰＣ１０１とは、ＵＳＢケーブルＵ１を介して接続されている。
ＨＤＭＩケーブルＨ１が第１のＰＣ１０１から引き抜かれると、ＨＤＭＩ１端子２３の接続状態は、「接続中」から「非接続」に変化する。すると、制御部３０は、管理テーブルＴＢＬの接続状態情報を更新し（図８のＳ２１０）、さらに、管理テーブルＴＢＬにおける第１のインターフェースと第２のインターフェースの対応付けを解除する（図８のＳ２３０）。また、ＨＤＭＩケーブルＨ１が第１のＰＣ１０１から引き抜かれると、画像信号がプロジェクター１０に入力しなくなるので、制御部３０は入力状態情報を「信号無し」に更新する。
図１５は、対応付けが解除された後の管理テーブルＴＢＬの記憶内容を示す図である。この図において、図１３と相違するのは斜線部分である。即ち、レコードＲ１において接続状態情報は「非接続」を示し、入力状態情報は「信号無し」を示し、出力先情報は「Ｎｕｌｌ」を示す。
【００９１】
そして、ＨＤＭＩケーブルＨ１が第２のＰＣ１０２に接続されると、接続状態は図１６に示すものとなる。この状態では、第２のＰＣ１０２から画像信号がＨＤＭＩケーブルを介してプロジェクター１０のＨＤＭＩ１端子２３に入力される一方、ＵＳＢ１端子２５と第１のＰＣ１０１とが接続されている。
【００９２】
図１６に示す接続状態で、利用者が指示体９０を用いてスクリーンＳＣ上で操作を行うと、検出部５０が位置情報ＰＳを検出する。上述したように管理テーブルＴＢＬのレコードＲ１の出力先情報は「Ｎｕｌｌ」となっており、どのインターフェースを用いて位置情報ＰＳを出力するか不定である。
そこで、制御部３０は、位置情報ＰＳを出力する第２のインターフェースの候補となるインターフェースを特定する（図６に示すＳ３０）。この場合の候補は、ＵＳＢ２端子である。ＵＳＢ２端子が第２のインターフェースの候補となるのは、プロジェクター１０では、ＨＤＭＩケーブルＨ１が第１のＰＣ１０１から抜かれたことは認識できても、抜かれたＨＤＭＩケーブルＨ１が再び第１のＰＣ１０１に差し込まれたか、他のＰＣに差し込まれたかを判別することができないからである。仮に、ＨＤＭＩケーブルＨ１が再び第１のＰＣ１０１に差し込まれた場合には、ＵＳＢ１端子２５から位置情報ＰＳを出力すればよいので、ＵＳＢ１端子２５を第２のインターフェースの候補としている。
次に、制御部３０は、出力先確認画像を表示させる（図６に示すＳ５０）。この例では、図１７に示すように、「ＵＳＢ１端子」と「出力先無し」が選択の対象として表示される。
【００９３】
ここで、利用者が、出力先確認画像４００の「出力先無し」と表示された選択ボタン４０３を指示体９０で選択すると、制御部３０は、管理テーブルＴＢＬのレコードＲ１において、出力先情報に「出力先無し」を記憶させる（図６のＳ６０）。この結果、管理テーブルＴＢＬのレコードＲ１の記憶内容は、図１８に示すものとなる。なお、図１８において、斜線部分が図１５に示す管理テーブルＴＢＬの記憶内容と相違する部分である。この例では、ＨＤＭＩ１端子２３と第２のＰＣ１０２とがＨＤＭＩケーブルＨ１で接続され、画像信号がＨＤＭＩ１端子２３に入力するので、レコードＲ１において接続状態情報は「接続中」、入力状態情報は「信号有り」が記録される。
【００９４】
この状態においては、指示体９０の先端ボタン９２をスクリーンＳＣの画面に押し当てたとしても、指示体９０の位置情報ＰＳはプロジェクター１０から出力されることはない。従って、スクリーンＳＣには表示されていない第１のＰＣ１０１の画面を操作モードによって操作してしまうことがなく、第１のＰＣ１０１の誤動作を確実に防ぐことができる。
【００９５】
＜４．変形例＞
本発明は、上述した実施形態に限定されるものではなく、例えば次に述べるような各種の変形が可能である。また、次に述べる変形の態様及び実施形態は、任意に選択された一又は複数を、適宜に組み合わせることもできる。
【００９６】
＜４-１：変形例１＞
上述した実施形態では、出力先情報は、出力先が一意に定まる場合を除き、出力先確認画像をスクリーンＳＣに表示させて、利用者が選択したが、本発明はこれに限定されるものではなく、位置情報ＰＳの出力先が特定できるのであれば、プロジェクター１０と接続されたＰＣから出力される情報に基づいて、位置情報ＰＳの出力先を特定してもよい。
この場合、プロジェクター１０とＰＣとは、少なくとも有線ＬＡＮ又は無線ＬＡＮで接続されている。また、当該ＰＣには、当該ＰＣがプロジェクター１０のどのインターフェースに対して画像信号を出力するかを指定するアプリケーションが記憶されている。そして、当該ＰＣにおいてアプリケーションを実行すると、入力元確認画像がＰＣで表示される。図１９に、ＰＣで表示する入力元確認画像５００の一例を示す。この図に示すように、入力元確認画像５００には、「ＵＳＢ１端子」と表示された選択ボタン５０１、「ＵＳＢ２端子」と表示された選択ボタン５０２、「ＨＤＭＩ１端子」と表示された選択ボタン５０３、「ＨＤＭＩ２端子」と表示された選択ボタン５０４、「ＬＡＮ端子」と表示された選択ボタン５０５、「無線ＬＡＮ」と表示された選択ボタン５０６が含まれる。
【００９７】
これらの選択ボタンのいずれかをＰＣにおいて選択すると、選択したインターフェースを画像信号の出力先としてプロジェクター１０に有線ＬＡＮ又は無線ＬＡＮを介して出力する。図２０は変形例１における制御部３０の処理内容を示すフローチャートである。図２０に示すように、制御部３０は、有線ＬＡＮ又は無線ＬＡＮのネットワークを介して、画像信号が入力される第１のインターフェースが選択されたかどうかを判断する（Ｓ３００）。図１９に示す入力元確認画像５００において、利用者がプロジェクター１０に画像信号を入力するインターフェースを特定すると、ＰＣはＬＡＮを介して入力元となるインターフェースを特定する情報をプロジェクター１０に送信する。制御部３０は、入力元となるインターフェースを特定する情報を受信したか否かによって、ステップＳ３００の判断を実行する。判断の結果が肯定的な場合には（Ｓ３００：ＹＥＳ）、制御部３０は、選択された第１のインターフェースに対応する位置情報ＰＳの出力先として、当該ネットワークにおけるＰＣのＩＰアドレスを管理テーブルＴＢＬに記憶させる（Ｓ３１０）。
このように、ＰＣ側で、画像信号の出力先としての第１のインターフェースを選択するようにしても、プロジェクター１０における設定の簡易化を図ることができる。
【００９８】
＜４-２：変形例２＞
上述した実施形態においては、指示体９０としてペン型のデバイスを用いたが、使用者の指の位置を検出部５０により検出するようにしてもよい。この場合には、使用者の指が、スクリーンＳＣの表面に触れた時に、図６に示す処理を実行すればよい。
【００９９】
＜４-３：変形例３＞
上述した実施形態においては、指示体９０の先端ボタン９２がオンとなった場合に図１２に示す処理を実行する構成について説明した。しかし、本発明はこのような構成に限定されるものではなく、例えばツールバー２０１に操作モードにおける位置情報ＰＳの出力先の設定を行うボタンを表示させ、当該ボタンが操作された際に、図６に示すステップＳ２０以降の処理を実行するようにしてもよい。
【０１００】
＜４-４：変形例４＞
上述した実施形態においては、管理テーブルＴＢＬに表示情報を記録したが、本発明はこれに限定されるものではなく、表示中の画像信号がどのインターフェースから入力されているかを示す情報をＣＰＵ３００のレジスタ又は記憶部６０に記憶しても良い。
【０１０１】
また、上述した実施形態においては、出力先情報は「出力先無し」を示すことができるとしたが、出力先情報は、位置情報ＰＳを出力するインターフェース名又は「ＮＵＬＬ」を示すものとしてもよい。この場合は、出力先確認画像において、選択の対象は、第２のインターフェースの候補となり、「出力先無し」は表示されない。
【０１０２】
また、上述した実施形態では、画像信号が所定時間継続して入力されないことを第１のインターフェースと第２のインターフェースとの対応付けを解除する条件としたが、本発明はこれに限定されるものではない。即ち、画像信号が所定時間継続して入力されない場合であっても、出力先情報を更新して、第１のインターフェースと第２のインターフェースとの対応付けを解除しなくてもよい。
【０１０３】
また、上述した実施形態では、画像信号が入力されるインターフェースと、位置情報ＰＳを出力するインターフェースとの各々について、接続状態が「接続中」から「非接続」に変化した場合に、出力先情報を更新して、第１のインターフェースと第２のインターフェースとの対応付けを解除したが、本発明はこれに限定されるものではなく、いずれか一方又は両方の場合について第１のインターフェースと第２のインターフェースとの対応付けを解除しなくてもよい。
【符号の説明】
【０１０４】
１…プロジェクションシステム、１０…プロジェクター、２０…Ｉ／Ｆ部、２１…無線ＬＡＮユニット端子、２２…Ｄ―ｓｕｂ端子、２３…ＨＤＭＩ１端子、２４…ＨＤＭＩ２端子、２５…ＵＳＢ１端子、２６…ＵＳＢ２端子、２７…ＬＡＮ端子、３０…制御部、４０…画像処理部、５０…検出部、６０…記憶部、７０…表示部、８０…入力部、７０…指示体、７１…軸部、７２…先端ボタン、１０１…ＰＣ、１０１…ＰＣ、２０１…ツールバー、ＳＣ…スクリーン、ＴＢＬ…管理テーブル。
【図１】
2018004681.tif 000003
【図２】
2018004681.tif 000004
【図３】
2018004681.tif 000005
【図４】
2018004681.tif 000006
【図５】
2018004681.tif 000007
【図６】
2018004681.tif 000008
【図７】
2018004681.tif 000009
【図８】
2018004681.tif 000010
【図９】
2018004681.tif 000011
【図１０】
2018004681.tif 000012
【図１１】
2018004681.tif 000013
【図１２】
2018004681.tif 000014
【図１３】
2018004681.tif 000015
【図１４】
2018004681.tif 000016
【図１５】
2018004681.tif 000017
【図１６】
2018004681.tif 000018
【図１７】
2018004681.tif 000019
【図１８】
2018004681.tif 000020
【図１９】
2018004681.tif 000021
【図２０】
2018004681.tif 000022